(57)【要約】【課題】収容箱からトレーをスムーズに取り出せる収容体を提供する。【解決手段】本発明に従う収容体は、トレーと、収容箱とを備える。収容箱は、収容箱本体と、突出部と、カバー部とを含む。収容箱本体は、上面からトレーを出し入れ可能である。突出部は、上記上面の少なくともいずれかの辺から上方に突出する。カバー部は、突出部の上端に折り曲げ可能に連結され、突出部を覆う。トレーは、凹部と、隆起部とを含む。凹部は、物品を収容する。隆起部は、凹部の凹み方向とは逆方向に隆起し、トレーが収容箱本体に入れられた場合に凹部よりも上方となる位置に設けられている。【選択図】図１
2019112134.tif 000002
【特許請求の範囲】
【請求項１】
トレーと、収容箱とを備える収容体であって、
前記収容箱は、
上面から前記トレーを出し入れ可能な収容箱本体と、
前記上面の少なくともいずれかの辺から上方に突出する突出部と、
前記突出部の上端に折り曲げ可能に連結され、前記突出部を覆うカバー部とを含み、
前記トレーは、
物品を収容する凹部と、
前記凹部の凹み方向とは逆方向に隆起する隆起部であって、前記トレーが前記収容箱本体に入れられた場合に前記凹部よりも上方となる位置に設けられている隆起部とを含む、収容体。
【請求項２】
前記隆起部は、前記トレーにおいて、前記トレーが前記収容箱本体に入れられた場合に、前記カバー部と対向する位置に設けられている、請求項１に記載の収容体。
【請求項３】
前記隆起部のうち、少なくとも、前記トレーが前記収容箱本体に入れられた場合に上方に位置する面は、曲面で構成されている、請求項１又は請求項２に記載の収容体。
【請求項４】
前記物品は、
流体を収容するシリンダと、
前記シリンダから前記流体を押し出すピストンとを含み、
前記凹部は、
前記シリンダを収容する第１部分と、
前記第１部分よりも横幅が狭く、前記ピストンを収容する第２部分とを含み、
前記第１部分と前記第２部分との境界には段部が形成されており、
前記トレーが前記収容箱本体に入れられた場合に、前記シリンダは前記段部に支持され、前記ピストンは前記第２部分の下端と接触しない、請求項１から請求項３のいずれか１項に記載の収容体。
【発明の詳細な説明】
【技術分野】
【０００１】
本発明は、収容体に関し、特に、トレーと収容箱とを備える収容体に関する。
【背景技術】
【０００２】
実願平１−１３２５６３号公報（特許文献１）は、成形トレー（トレー）と、包装箱（収容箱）とを備える包装体（収容体）を開示する。この包装体において、成形トレーは、包装箱に収容される（特許文献１参照）。
【先行技術文献】
【特許文献】
【０００３】
【特許文献１】実開平１−１３２５６３号公報
【発明の概要】
【発明が解決しようとする課題】
【０００４】
特許文献１に開示されるような、トレーと収容箱とを備える収容体において、収容箱が、収容箱本体の上方に延びるヘッダー部を有する場合がある。ここで、ヘッダー部は、収容箱本体から上方に突出する突出部と、突出部の上端に折り曲げ可能に連結され突出部を覆うカバー部とを有する。このような場合において、収容箱からトレーを取り出すときに、カバー部に収容物が干渉し、収容箱からトレーをスムーズに取り出せないことがある。
【０００５】
本発明は、このような問題を解決するためになされたものであって、その目的は、収容箱からトレーをスムーズに取り出せる収容体を提供することである。
【課題を解決するための手段】
【０００６】
本発明に従う収容体は、トレーと、収容箱とを備える。収容箱は、収容箱本体と、突出部と、カバー部とを含む。収容箱本体は、上面からトレーを出し入れ可能である。突出部は、上記上面の少なくともいずれかの辺から上方に突出する。カバー部は、突出部の上端に折り曲げ可能に連結され、突出部を覆う。トレーは、凹部と、隆起部とを含む。凹部は、物品を収容する。隆起部は、凹部の凹み方向とは逆方向に隆起し、トレーが収容箱本体に入れられた場合に凹部よりも上方となる位置に設けられている。
【０００７】
この収容体においては、隆起部が凹部よりも上方に位置しているため、トレーを収容箱から取り出す場合に、凹部に収容されている物品よりも先に隆起部がカバー部と対向する。したがって、この収容体によれば、収容箱からのトレーの取り出し時に、物品がカバー部と干渉する前に隆起部がカバー部をそらし、物品とカバー部との干渉が回避される可能性が高いため、収容箱からトレーをスムーズに取り出すことができる。
【０００８】
上記収容体において、隆起部は、トレーにおいて、トレーが収容箱本体に入れられた場合に、カバー部と対向する位置に設けられてもよい。
【０００９】
この収容体においては、トレーが収容箱本体に収容されている状態で、既に隆起部がカバー部に対向している。したがって、この収容体によれば、隆起部がカバー部をそらしており、物品とカバー部との干渉が回避される可能性が高いため、収容箱からトレーをスムーズに取り出すことができる。
【００１０】
上記収容体において、隆起部のうち、少なくとも、トレーが収容箱本体に入れられた場合に上方に位置する面は、曲面で構成されてもよい。
【００１１】
この収容体においては、隆起部の上方が曲面で構成されている。したがって、この収容体によれば、収容箱からトレーを取り出す場合に、隆起部の曲面がカバー部に接触し、隆起部がカバー部をスムーズにそらすため、収容箱からトレーをスムーズに取り出すことができる。
【００１２】
上記収容体において、物品は、シリンダと、ピストンとを含んでもよい。シリンダは、流体を収容してもよい。ピストンは、シリンダから流体を押し出してもよい。上記凹部は、第１部分と、第２部分とを含んでもよい。第１部分は、シリンダを収容してもよい。第２部分は、第１部分よりも横幅が狭くてもよく、ピストンを収容してもよい。第１部分と第２部分との境界には段部が形成されてもよい。トレーが収容箱本体に入れられた場合に、シリンダは段部に支持され、ピストンは第２部分の下端と接触しないようにしてもよい。
【００１３】
この収容体においては、シリンダが段部に支持され、ピストンが第２部分の下端と接触しない。したがって、この収容体によれば、収容体が落下したとしても、落下の衝撃によってピストンが第２部分の下端により押し込まれる可能性が低いため、収容体の落下が原因となってシリンダから流体が押し出される可能性を低減することができる。
【発明の効果】
【００１４】
本発明によれば、収容箱からトレーをスムーズに取り出せる収容体を提供することができる。
【図面の簡単な説明】
【００１５】
【図１】収容体の正面側の斜視図である。
【図２】収容体の背面側の斜視図である。
【図３】収容箱から中身を取り出した状態を示す図である。
【図４】収容箱の展開図である。
【図５】組立後において、収容箱の蓋板が開放された状態を示す図である。
【図６】トレーの斜視図である。
【図７】トレーを側方から見た図である。
【図８】トレーに収容された洗浄剤４０を示す図である。
【図９】隆起部が設けられていないトレーを収容箱から取り出す場合について説明するための図である。
【図１０】トレーを収容箱から取り出す場合について説明するための図である。
【図１１Ａ】変形例における、トレーの収容状態を示す図である。
【図１１Ｂ】変形例において、トレーを収容箱から取り出す場合について説明するための図である。
【発明を実施するための形態】
【００１６】
以下、本発明の実施の形態について、図面を参照しながら詳細に説明する。なお、図中同一又は相当部分には同一符号を付してその説明は繰り返さない。
【００１７】
［１．収容体の構成］
図１は、本実施の形態に従う収容体１０の正面側の斜視図である。図２は、本実施の形態に従う収容体１０の背面側の斜視図である。図１，２に示されるように、収容体１０の外側は、収容箱２０によって構成されている。
【００１８】
収容箱２０は、収容箱本体２２と、収容箱本体２２の上面の辺２８から上方に延びるヘッダー部２４とを含んでいる。収容箱本体２２には、たとえば、洗浄剤４０が収容されている。収容箱本体２２の正面側には孔２３０が形成されており、洗浄剤４０は、孔２３０を介して外部から視認可能である。洗浄剤４０は、本発明における「物品」の一例である。収容箱本体２２の蓋板２１０は、辺２８の位置から開放可能である。ユーザは、蓋板２１０を開放することによって、収容箱２０の上面から洗浄剤４０を取り出すことができる。
【００１９】
ヘッダー部２４には孔２６が形成されている。たとえば、洗浄剤４０を収容した収容体１０（商品）は、店頭において、孔２６にフックが通されて、吊り下げて陳列される。
【００２０】
図３は、収容箱２０から中身を取り出した状態を示す図である。図３に示されるように、収容箱２０にはトレー３０が収容されており、トレー３０には洗浄剤４０が収容されている。以下、収容箱２０、トレー３０及び洗浄剤４０について順に説明する。
【００２１】
［２．収容箱の構成］
図４は、収容箱２０の展開図である。この展開図において、矢印Ｂ方向の面が収容箱２０の内側を向く面であり、矢印Ｆ方向の面が収容箱２０の外側を向く面である。図４に示されるように、収容箱２０は、紙、樹脂材料等の一枚の薄板状の材料によって構成されている。収容箱２０は、一枚の薄板状の材料を折り曲げ、接着することによって組み立てられる。
【００２２】
収容箱２０においては、矢印Ｌ側から矢印Ｒ側に向かって、矩形状の側面板２３６、矩形状の正面板２２０、矩形状の側面板２１４、矩形状の背面板２０２及び糊代部２０８が連結されている。背面板２０２の矢印Ｔ方向には、矩形状の蓋板２１０が連結されている。蓋板２１０の矢印Ｔ方向には、上面側フラップ２１２が連結されている。また、背面板２０２の矢印Ｄ方向には、底面側フラップ２０４が連結されている。底面側フラップ２０４の矢印Ｌ側の端部には、糊代部２０６が連結されている。
【００２３】
側面板２１４の矢印Ｔ方向には、上面側フラップ２１８が連結されている。側面板２１４の矢印Ｄ方向には、底面側フラップ２１６が連結されている。また、側面板２１４には、孔２３０の一部が形成されている。
【００２４】
正面板２２０は、側面板２１４，２３６及び背面板２０２よりも矢印Ｔ方向に突出した突出部２２２を含んでいる。突出部２２２は、ヘッダー部２４（図１）の一部を構成する。突出部２２２には、孔２２４が形成されている。孔２２４は、孔２６（図１）の一部を構成する。突出部２２２の矢印Ｔ方向には、矩形状のカバー板２２６が連結されている。カバー板２２６は、突出部２２２と共にヘッダー部２４を構成する。カバー板２２６には、孔２２８が形成されている。孔２２８は、孔２２４と同形状であり、孔２２４と共に孔２６を構成する。
【００２５】
カバー板２２６は、収容箱２０の組立時に、突出部２２２を覆うように折り畳まれる。カバー板２２６の矢印ＴＤ方向の長さは、突出部２２２の矢印ＴＤ方向の長さよりも長い。したがって、収容箱２０の組立後、カバー板２２６の端部２４２は、収容箱本体２２（図１）の内側に位置する。また、収容箱２０の組立において、カバー板２２６の端部２４２は、正面板２２０に糊付け等されない。したがって、カバー板２２６の端部２４２は、収容箱本体２２の内部において可動である。
【００２６】
また、正面板２２０には、孔２３０の一部が形成されている。正面板２２０の矢印Ｄ方向には、底面側フラップ２３２が連結されている。底面側フラップ２３２の矢印Ｌ側の端部には、糊代部２３４が連結されている。
【００２７】
側面板２３６の矢印Ｔ方向には、上面側フラップ２４０が連結されている。側面板２３６の矢印Ｄ方向には、底面側フラップ２３８が連結されている。底面側フラップ２０４，２１６，２３２，２３８によって、収容箱２０の底面が形成される。また、収容箱２０において、各連結部分は、折り曲げ可能な折り曲げ線を構成している。
【００２８】
次に、収容箱２０の組立方法について説明する。まず、各折り曲げ線を折り曲げる。そして、糊代部２０６の矢印Ｂ方向の面（表面）と底面側フラップ２１６の矢印Ｆ方向の面（裏面）との糊付け、糊代部２３４の矢印Ｂ方向の面と底面側フラップ２３８の矢印Ｆ方向の面との糊付け、及び、糊代部２０８の矢印Ｆ方向の面と側面板２３６の矢印Ｂ方向の面との糊付けを行なう。この場合に、底面側フラップ２０４の辺２４４は、底面側フラップ２３２の辺２５０を乗り越えることによって、収容箱本体２２の内側に位置しており、底面側フラップ２３２の辺２４８は、底面側フラップ２０４の辺２４６を乗り越えることによって、収容箱本体２２の内側に位置している。これにより、収容箱２０が完成する。
【００２９】
図５は、組立後において、収容箱２０の蓋板２１０が開放された状態を示す図である。図５に示されるように、カバー板２２６の端部２４２は、収容箱本体２２の内側に位置している。また、カバー板２２６の端部２４２は、収容箱本体２２の内部において可動である。蓋板２１０及び上面側フラップ２１２，２１８，２４０を収容箱本体２２の内側に折り曲げると、カバー板２２６は、蓋板２１０及び上面側フラップ２１２，２１８，２４０によって収容箱２０の正面側に押圧される。
【００３０】
［３．トレーの構成］
図６は、トレー３０の斜視図である。図７は、トレー３０を側方から見た図である。トレー３０は、たとえば、透明プラスチックシートが成型された立体的な部材である。
【００３１】
図６，７に示されるように、トレー３０において、平面部３０２の周囲には、側面部３０４が連結されている。また、平面部３０２においては、横方向に並ぶ２つの凹部３０６が形成されている。平面部３０２から側面部３０４が延びる方向と、各凹部３０６の凹み方向とは略同一である。
【００３２】
各凹部３０６には、洗浄剤４０（図３）が収容される。各凹部３０６は、第１部分３０８と、第２部分３１０とを含んでいる。第１部分３０８と第２部分３１０とは、空間的に連続している。第１部分３０８の横幅Ｗ１は、第２部分３１０の横幅Ｗ２よりも長い。したがって、第１部分３０８と第２部分３１０との境界には、段部３１２Ａ，３１２Ｂが形成されている。トレー３０は、第１部分３０８側からではなく、第２部分３１０側から収容箱２０（図２）に入れられる。したがって、トレー３０が収容箱２０に収容された状態において、第１部分３０８は、第２部分３１０の上方に位置する。
【００３３】
トレー３０においては、第１部分３０８寄りの端部が切り欠かれており、空間３１８が形成されている。空間３１８は、トレー３０が収容箱２０に収容された場合に、収容箱本体２２の上面に隣接する。ユーザは、蓋板２１０を開放する場合に、空間３１８において指を動かすことができるため、蓋板２１０を容易に開放することができる。
【００３４】
また、平面部３０２上には、隆起部３１４Ａ，３１４Ｂが形成されている。各隆起部３１４は、平面部３０２において、トレー３０が収容箱２０に入れられた場合に、各凹部３０６よりも上方となる位置に設けられている。
【００３５】
隆起部３１４Ａ，３１４Ｂの各々は、平面部３０２において、凹部３０６の凹み方向とは逆方向に隆起している。より詳細には、各隆起部３１４は、雫状の形状を有している。すなわち、各隆起部３１４においては、トレー３０が収容箱２０に収容された場合に上方に位置する面が、曲面で構成されている。
【００３６】
［４．洗浄剤の概要］
図８は、トレー３０に収容された洗浄剤４０を示す図である。図８に示されるように、トレー３０には、２本の洗浄剤４０が収容されている。各洗浄剤４０は、たとえば、トイレの便器を洗浄するために用いられる。
【００３７】
各洗浄剤４０は、シリンダ４０２と、シリンダ４０２の先端に取り付けられたキャップ４０４と、シリンダ４０２に対して摺動可能なピストン４０６とを含んでいる。トレー３０において、シリンダ４０２及びキャップ４０４は第１部分３０８に収容されており、ピストン４０６は第２部分３１０に収容されている。
【００３８】
シリンダ４０２には、ジェル状の洗浄剤（流体）が充填されている。ユーザは、シリンダ４０２からキャップ４０４を取り外し、シリンダ４０２を便器に押し当てた状態でピストン４０６を押し込むことによって、シリンダ４０２から洗浄剤を押し出し、洗浄剤を便器に塗布することができる。
【００３９】
トレー３０が収容箱２０に収容された状態で、シリンダ４０２の下端は、段部３１２Ａ，３１２Ｂによって支持される。一方、ピストン４０６の下端は、第２部分３１０の下端部３１６と接触しない。すなわち、ピストン４０６の下端は、浮いた状態となっている。これは、第２部分３１０の上下方向の長さが、ピストン４０６の持ち手部分の長さよりも長いためである。洗浄剤４０がトレー３０によってこのように保持される理由について次に説明する。
【００４０】
仮に、トレー３０が収容箱２０に収容された状態で、ピストン４０６の下端が第２部分３１０の下端部３１６と接触しているとする。この場合に、収容体１０（図１）の落下等によって、収容箱２０の底面に衝撃が加えられると、ピストン４０６の下方から上方に向けて力が加えられる可能性がある。この力によって、ピストン４０６が押し込まれ、意図せず洗浄剤がシリンダ４０２から押し出されることがある。
【００４１】
本実施の形態においては、トレー３０が収容箱２０に収容された状態で、ピストン４０６の下端が第２部分３１０の下端部３１６に接触していない。したがって、収容箱２０の底面に衝撃が加えられても、ピストン４０６の下方から上方に向けて力が加えられる可能性は低い。したがって、本実施の形態によれば、意図しない洗浄剤の押し出しを抑制することができる。
【００４２】
［５．トレーの抜き出し］
本実施の形態においては、トレー３０に隆起部３１４が設けられているため、ユーザは、収容箱２０からトレー３０をスムーズに取り出すことができる。隆起部３１４を設けることでトレー３０の取り出しがスムーズになるメカニズムについて次に説明する。
【００４３】
図９は、隆起部３１４が設けられていないトレー３０Ａを収容箱２０から取り出す場合について説明するための図である。図９においては、メカニズムの理解を容易にするために、各構成要素の縮尺を変更している。図９に示されるように、トレー３０Ａには隆起部３１４が設けられていない。たとえば、収容体１０Ａを前傾させた場合等に、洗浄剤４０がトレー３０Ａから部分的に飛び出すことがある。このような状況で、トレー３０Ａを上方に引き出すと、洗浄剤４０がカバー板２２６と干渉し、トレー３０Ａを収容箱２０からスムーズに取り出すことができない。
【００４４】
図１０は、本実施の形態において、トレー３０を収容箱２０から取り出す場合について説明するための図である。図１０においても、図９と同様、メカニズムの理解を容易にするために、各構成要素の縮尺を変更している。図１０に示されるように、トレー３０が収容箱２０に収容されている状態において、隆起部３１４とカバー板２２６とが対向している。そして、隆起部３１４がカバー板２２６を正面板２２０側に押圧している。その結果、トレー３０を収容箱２０から抜き出す場合に、洗浄剤４０とカバー板２２６との間には隙間が形成されるため、ユーザは、トレー３０を収容箱２０からスムーズに抜き出すことができる。
【００４５】
［６．特徴］
以上のように、本実施の形態に従う収容体１０は、トレー３０と、収容箱２０とを備える。収容箱２０は、収容箱本体２２と、突出部２２２と、カバー板２２６とを含む。収容箱本体２２は、上面からトレー３０を出し入れ可能である。突出部２２２は、上記上面の少なくともいずれかの辺から上方に突出する。カバー板２２６は、突出部２２２の上端に折り曲げ可能に連結され、突出部２２２を覆う。トレー３０は、凹部３０６と、隆起部３１４とを含む。凹部３０６は、洗浄剤４０を収容する。隆起部３１４は、凹部３０６の凹み方向とは逆方向に隆起し、トレー３０が収容箱本体２２に入れられた場合に凹部３０６よりも上方となる位置に設けられている。
【００４６】
この収容体１０においては、隆起部３１４が凹部３０６よりも上方に位置しているため、トレー３０を収容箱２０から取り出す場合に、凹部３０６に収容されている洗浄剤４０よりも先に隆起部３１４がカバー板２２６と対向している。したがって、この収容体１０によれば、収容箱２０からのトレー３０の取り出し時に、洗浄剤４０がカバー板２２６と干渉する前に隆起部３１４がカバー板２２６をそらし、洗浄剤４０とカバー板２２６との干渉が回避される可能性が高いため、収容箱２０からトレー３０をスムーズに取り出すことができる。
【００４７】
［７．変形例］
以上、実施の形態について説明したが、本発明は、上記実施の形態に限定されるものではなく、その趣旨を逸脱しない限りにおいて、種々の変更が可能である。以下、変形例について説明する。但し、以下の変形例は適宜組合せ可能である。
【００４８】
（７−１）
上記実施の形態において、カバー板２２６と隆起部３１４との位置関係は、トレー３０が収容箱２０に収容された状態で、カバー板２２６と隆起部３１４とが対向する位置関係であった。しかしながら、トレー３０が収容箱２０に収容された状態で、カバー板２２６と隆起部３１４とは、必ずしも対向していなくてもよい。たとえば、カバー板２２６の上下方向の長さが、上記実施の形態よりも短く、カバー板２２６と隆起部３１４とが対向しなくてもよい。
【００４９】
図１１Ａは、変形例における、トレー３０の収容状態を示す図である。図１１Ａにおいても、図９及び図１０と同様、メカニズムの理解を容易にするために、各構成要素の縮尺を変更している。図１１Ａに示されるように、この変形例に従う収容体１０Ｂにおいては、トレー３０が収容箱２０Ｂに収容された状態で、収容箱２０Ｂのカバー板２２６Ｂと、トレー３０の隆起部３１４とが対向していない。
【００５０】
図１１Ｂは、変形例において、トレー３０を収容箱２０から取り出す場合について説明するための図である。図１１Ｂにおいても、図９及び図１０と同様、メカニズムの理解を容易にするために、各構成要素の縮尺を変更している。図１１Ｂに示されるように、トレー３０の収容時に隆起部３１４とカバー板２２６Ｂとが対向していなくても、トレー３０の取り出し時に、洗浄剤４０よりも先に隆起部３１４がカバー板２２６Ｂをそらす。すなわち、隆起部３１４の上面が曲面で構成されているため、隆起部３１４がカバー板２２６Ｂと接触した後に、カバー板２２６Ｂが滑らかにそれる。その結果、洗浄剤４０とカバー板２２６Ｂとの干渉が回避され、トレー３０が収容箱２０Ｂからスムーズに取り出される。
【００５１】
（７−２）
上記実施の形態においては、正面板２２０から側面板２１４にかけて孔２３０が形成された。しかしながら、孔２３０は、必ずしも必要ではない。孔２３０は、設けられなくてもよいし、収容箱２０における他の位置に形成されてもよい。
【００５２】
（７−３）
上記実施の形態においては、収容箱２０の組立時に、糊代部２０６の矢印Ｂ方向の面と底面側フラップ２１６の矢印Ｆ方向の面との糊付け、糊代部２３４の矢印Ｂ方向の面と底面側フラップ２３８の矢印Ｆ方向の面との糊付け、及び、糊代部２０８の矢印Ｆ方向の面と側面板２３６の矢印Ｂ方向の面との糊付けが行なわれた。しかしながら、各面の固定は、必ずしも糊付けによって行なわれる必要はない。たとえば、各面の固定は、テープによって行なわれてもよい。
【００５３】
（７−４）
上記実施の形態においては、ヘッダー部２４が、収容箱２０の正面側（正面板２２０側）に設けられた。しかしながら、ヘッダー部２４の設けられる位置は、これに限定されない。たとえば、ヘッダー部２４は、収容箱２０の背面側（背面板２０２側）に設けられてもよい。この場合には、トレー３０において、隆起部３１４が背面側に設けられてもよい。
【００５４】
（７−５）
上記実施の形態において、隆起部３１４の形状は、雫状とされ、上方の面が曲面とされた。しかしながら、隆起部３１４の形状は、これに限定されず、たとえば、直方体のような形状であってもよい。ただし、この場合には、トレー３０が収容箱２０に収容された状態で、カバー板２２６と隆起部３１４とが対向していることが好ましい。
【符号の説明】
【００５５】
１０，１０Ａ，１０Ｂ  収容体、２０，２０Ｂ  収容箱、２２  収容箱本体、２４  ヘッダー部、２６，２２４，２２８，２３０  孔、２８，２４４，２４６，２４８，２５０  辺、３０，３０Ａ  トレー、４０  洗浄剤、２０２  背面板、２０４，２１６，２３２，２３８  底面側フラップ、２０６，２０８，２３４  糊代部、２１０  蓋板、２１４，２３６  側面板、２１２，２１８，２４０  上面側フラップ、２２０  正面板、２２２  突出部、２２６，２２６Ｂ  カバー板、２４２  端部、３０２  平面部、３０４  側面部、３０６  凹部、３０８  第１部分、３１０  第２部分、３１２，３１２Ａ，３１２Ｂ  段部、３１４，３１４Ａ，３１４Ｂ  隆起部、３１６  下端部、３１８  空間、４０２  シリンダ、４０４  キャップ、４０６  ピストン。
【図１】
2019112134.tif 000003
【図２】
2019112134.tif 000004
【図３】
2019112134.tif 000005
【図４】
2019112134.tif 000006
【図５】
2019112134.tif 000007
【図６】
2019112134.tif 000008
【図７】
2019112134.tif 000009
【図８】
2019112134.tif 000010
【図９】
2019112134.tif 000011
【図１０】
2019112134.tif 000012
【図１１Ａ】
2019112134.tif 000013
【図１１Ｂ】
2019112134.tif 000014